(57)【要約】【課題】被検液で周囲を汚すことなく衛生的で、しかも指示試薬紙の呈色を迅速且つ容易にカラースケールと比較でき、素早くｐＨ値などの物性値を判定できる検査用具を提供する。【解決手段】外縁に鍔状部１１を有する上面開口で円盤状の容器１と、鍔状部１１に取り付けられたカラースケール３と、容器１の内底面に取り付けられた不織布５、不織布５の上に積層された指示薬試験紙２と、指示試薬紙２の中心に設けられた円柱状の多孔質部材４１と、容器１の上面開口を封止する樹脂フィルム６とを設ける。そして、多孔質部材４１に被検液を滴下し、指示試薬紙２の呈色をカラースケール３と比較し物性値を判定する。【選択図】図１
2015161656.tif 000002
【特許請求の範囲】
【請求項１】
被検液を指示試薬紙に滴下し、指示試薬紙の呈色によって被検液の物性値を検査する検査用具であって、
容器と、
前記容器内に取り付けられた指示試薬紙と、
前記容器の外縁部に取り付けられた、被検液の物性値に対応する前記指示試薬紙の色相変化を表示したカラースケールと、
前記指示試薬紙と接触するように設けられ、滴下された被検液を一時的に貯留し前記指示試薬紙に滲入させる液滴受け部と
を有することを特徴とする被検液物性値の検査用具。
【請求項２】
前記容器の外縁に鍔状部を設け、前記カラースケールを前記鍔状部に設けた請求項１記載の被検液物性値の検査用具。
【請求項３】
前記容器の内面と前記指示試薬紙との間に不織布を介挿した請求項１又は２記載の被検液物性値の検査用具。
【請求項４】
前記液滴受け部が多孔質部材を有する請求項１〜３のいずれかに記載の被検液物性値の検査用具。
【請求項５】
前記液滴受け部が、軸方向が前記指示試薬紙に対して略垂直となるように設けられた筒状部材を有する請求項１〜４のいずれかに記載の被検液物性値の検査用具。
【請求項６】
前記容器の開口を封止する封止部材をさらに有する請求項１〜５のいずれかに記載の被検液物性値の検査用具。
【発明の詳細な説明】
【技術分野】
【０００１】
本発明は被検液物性値の検査用具に関し、より詳細には、被検液を指示試薬紙に滴下し、指示試薬紙の呈色によって被検液の物性値を検査する用具に関するものである。
【背景技術】
【０００２】
例えば、人体や動物から分泌あるいは排出された被検液のｐＨ値を検査する場合、これまでは、図６に示すような、短冊状の台紙８１の一方端側にｐＨ試験紙８２が貼り付けられた検査用スティック８を用いて検査していた。具体的には、検査用スティック８のｐＨ試験紙８２に滴下容器７から被検液Ｓを滴下し、呈色したｐＨ試験紙８２の色と、ｐＨ値に対応する試験紙の色相変化を段階的に表示したカラースケール３１とを比較して被検液ＳのｐＨ値を検査していた。
【０００３】
しかしながら、このような検査方法では、被検液Ｓの滴下量が多いとｐＨ試験紙８２の周りに被検液Ｓが溢れ周囲を汚すことがあった。一方、被検液Ｓの滴下量が少ないとｐＨ試験紙８２全体に被検液Ｓが滲入せず色ムラができることがあった。また、水分が蒸発してｐＨ試験紙８２が乾燥すると色相が変化するため、ｐＨ試験紙８２の呈色を短時間にカラースケール３１と見比べてｐＨ値を判定しなければならなかった。
【０００４】
そこで、例えば、特許文献１には、ｐＨ試験紙と台紙との間に隙間を形成し、この隙間に被検液を流入させて保持し、ｐＨ試験紙の乾燥を遅らせるｐＨ検査用スティックが提案されている。また特許文献２には、日常的に使用可能なシート状基材の、肌に直接又は間接的に接触可能な部位にｐＨ測定試薬を設置した膣分泌物のｐＨ測定用具が提案されている。
【先行技術文献】
【特許文献】
【０００５】
【特許文献１】特開2002-116210号公報
【特許文献２】特開2000-346850号公報
【発明の概要】
【発明が解決しようとする課題】
【０００６】
特許文献１では、ｐＨ検査用スティックのｐＨ試験紙を被検液に浸漬させた後引き上げて、ｐＨ試験紙の呈色を判定する旨記載されているが、ｐＨ試験紙の呈色を判定する際に机等にｐＨ検査用スティックを載置すれば、被検液をｐＨ試験紙に滴下した場合と同様に、載置したｐＨ検査用スティックの周囲が被検液で汚れる。
【０００７】
また特許文献２では、ｐＨ測定用具の周囲の汚れやｐＨ測定試薬の色ムラ、さらには乾燥による色相変化については何ら考慮されていない。
【０００８】
本発明はこのような従来の問題に鑑みてなされたものであり、その目的は、被検液で周囲を汚すことなく衛生的で、しかも指示試薬紙の呈色を迅速且つ容易にカラースケールと比較でき、素早くｐＨ値などの物性値を判定できる検査用具を提供することにある。
【課題を解決するための手段】
【０００９】
前記目的を達成する本発明に係る検査用具は、被検液を指示試薬紙に滴下し、指示試薬紙の呈色によって被検液の物性値を検査する検査用具であって、容器と、前記容器内に取り付けられた指示試薬紙と、前記容器の外縁部に取り付けられた、被検液の物性値に対応する前記指示試薬紙の色相変化を表示したカラースケールと、前記指示試薬紙と接触するように設けられ、滴下された被検液を一時的に貯留し前記指示試薬紙に滲入させる液滴受け部とを有することを特徴とする。
【００１０】
ここで、前記容器の外縁に鍔状部を設け、前記カラースケールを前記鍔状部に設けてもよい。
【００１１】
また、指示試薬紙の乾燥による色相変化を抑制する観点からは、前記容器の内面と前記指示試薬紙との間に不織布を介挿するのが好ましい。
【００１２】
前記液滴受け部が、滴下された被検液を一時的に貯留し指示試薬紙に円滑に滲入させる観点からは、液滴受け部は多孔質部材を有するのが好ましい。
【００１３】
また、前記液滴受け部が、軸方向が前記指示試薬紙に対して略垂直となるように設けられた筒状部材を有してもよい。
【００１４】
そしてまた、使用前にゴミなどが容器内に入り込まないようにするとともに、必要時以外の指示試薬紙の反応を抑える観点などから、容器の開口部を封止する封止部材をさらに設けるのが好ましい。
【発明の効果】
【００１５】
本発明の被検液物性値の検査用具によれば、被検液で周囲を汚すことなく、衛生的に被検液の物性値を検査できる。また、指示試薬紙の呈色の色ムラを大幅に抑制でき、容易且つ迅速にカラースケールと比較でき、ｐＨ値などの物性値を素早く判定できる。
【００１６】
また、前記容器の外縁に鍔状部を設け、前記カラースケールを前記鍔状部に設けると、指示試薬紙の呈色とカラースケールとの色相の比較が容易となり、被検液の物性値を正確に検査できる。
【００１７】
前記容器の内面と前記指示試薬紙との間に不織布を介挿すると、指示試薬紙の乾燥による色相変化が抑制され被検液の物性値の検査精度が上がる。
【００１８】
さらに、液滴受け部が多孔質部材を有すると、滴下された被検液が多孔質部材に一時的に貯留され指示試薬紙に円滑に滲み出すので、被検液の滴下量が多い場合であっても、検査用具の周囲を被検液で汚すことがなく、また指示試薬紙の呈色の色ムラが大幅に抑制される。
【００１９】
また、前記液滴受け部が、軸方向が前記指示試薬紙に対して略垂直となるように設けられた筒状部材を有する場合も、滴下された被検液が筒状部材内に一時的に貯留され指示試薬紙に円滑に滲入するので、被検液の滴下量が多い場合であっても、検査用具の周囲を被検液で汚すことがなく、また指示試薬紙の呈色の色ムラが大幅に抑制される。
【００２０】
そしてまた、前記容器の開口を封止する封止部材をさらに設けると、使用前にゴミなどが容器内に入り込むことがない。加えて、封止部材が容器に対して着脱自在であれば、被検液を容器内に滴下した後、封止部材によって容器を再び封止して、指示試薬紙２の乾燥による色相変化を抑えることもできる。
【図面の簡単な説明】
【００２１】
【図１】本発明に係る検査用具の一例を示す斜視図である。
【図２】図１のＡ−Ａ線断面図である。
【図３】液滴受け部の他の実施形態を示す部分垂直断面図である。
【図４】本発明に係る検査用具の他の例を示す垂直断面図である。
【図５】本発明に係る検査用具を用いた被検液の検査手順を示す図である。
【図６】従来の検査用具を示す斜視図である。
【発明を実施するための形態】
【００２２】
以下、本発明に係る検査用具について図に基づいて説明するが、本発明はこれらの実施形態に何ら限定されるものではない。
【００２３】
図１は、本発明の検査用具Ｄ１の一例を示す斜視図であり、図２は、図１のＡ−Ａ線断面図である。なお、図１では、図を分かり易くするため、封止部材としての樹脂フィルム６は略している。
【００２４】
これらの図に示す検査用具Ｄ１は、外縁に鍔状部１１を有する上面開口で円盤状の容器１と、鍔状部１１に取り付けられたカラースケール３と、容器１の内底面に取り付けられた不織布５（図２に図示）と、不織布５の上に積層された指示試験紙２と、指示試薬紙２の中心に設けられた、液滴受け部としての円柱状の多孔質部材４１と、容器１の上面開口を封止する封止部材としての樹脂フィルム６（図２に図示）とを備える。
【００２５】
容器１の内容積は、被検液の滴下量や容器の取扱い易さ等を考慮し適宜決定すればよい。通常、被検液の滴下量は２ｍＬ程度であるため、容器１の内容積は数ｃｍ３〜数十ｃｍ３程度あれば足りるが、取り扱い性などを考慮すると、内径２ｃｍ〜７ｃｍ程度で、深さ１ｃｍ〜３ｃｍ程度が好ましい。
【００２６】
容器１の材質としては液体を透過しないものであれば特に限定はなく、例えば、プラスチック材料や金属材料など従来公知の材料を用いることができる。また、紙材料などの通常は液体を透過する材料であっても、防水処理などの表面処理がなされて液体を透過しないものは本発明の容器材料として使用できる。なお、本発明で使用する容器１は、通常、使用後は指示試薬紙２などと共に廃棄されるが、洗浄等を行って再使用してももちろん構わない。ただし、容器１を再使用する場合は、指示試薬紙２と不織布５、多孔質部材４１とを容易に交換できるように容器１に取り付けておく必要がある。
【００２７】
本発明で使用する容器１の水平断面形状に特に限定はなく、円形の他、断面多角形などであってもよいが、指示試薬紙２の呈色とカラースケール３との比較の容易性や容器の生産性などの観点からは円形であるのが好ましい。
【００２８】
本発明で使用する指示試薬紙２は、被検液の検査項目から適宜選択決定され、各検査項目に応じた指示試薬が含浸され乾燥された試薬紙が使用される。指示試薬紙２の材質としては、例えば、ろ紙、ガラス繊維ろ紙、編物、織物、不織布、メンブランフィルター、多孔質樹脂シートなどが挙げられる。指示試薬紙２の形状に特に限定はないが、取付安定性やカラースケール３との色相対比容易性などの点からは、容器１の内底面と同一形状とするのが好ましい。指示試薬紙２を後述の不織布５上に積層して取り付ける場合、接着剤や粘着剤を用いてもよい。接着剤及び粘着剤としては、例えば、ポリウレタン系、アクリル系、エポキシ系、ナイロン系、ホットメルト系、シアノアクリレート系、ゴム系などが挙げられる。なお、指示試薬紙２を容器１の内底面と同一形状とした場合には、接着剤や粘着剤を用いることなく、指示試薬紙２を容器１内に嵌め入れるだけでもよい。また、指示試薬紙２は、不織布５を介さずに容器１に直接設けても構わない。
【００２９】
本発明で使用するカラースケール３は、被検液の物性値に対応する指示試薬紙の色相変化を表示するものであって、指示試薬紙２の種類によって適宜選択決定される。カラースケール３の形状は、容器１の鍔状部１１と同一形状で、鍔状部１１上に取り付けられる。これにより、上面視において、カラースケール３は指示試薬紙２の外縁を囲むように位置し、指示試薬紙２の呈色とカラースケール３とを見比べやすくなり物性値を素早く判定できるようになる。
【００３０】
液滴受け部としての多孔質部材４１の取付位置は、指示試薬紙２に接触する位置であればいずれでもよいが、多孔質部材４１から指示試薬紙２への被検液に滲み出しを均等にするとともに、滴下容器（不図示）からの被検液の滴下を容易に行えるようにする観点などから、指示試薬紙２の中央部に取り付けるのが望ましい。滴下された被検液は多孔質部材４１に一時的に貯留され、指示試薬紙２に順次滲入していく。多孔質部材４１の形状に特に限定はないが、例えば、滴下された被検液が多孔質部材４１に着弾した際、被検液の飛沫が広い範囲に飛び散らないように、多孔質部材４１の上面に凹部を形成しておいてもよい。多孔質部材４１の容積は、被検液の滴下量などを考慮し適宜決定すればよいが、通常、被検液の滴下量以上の容積であるのが好ましい。多孔質部材としては、例えば、スポンジが好適に使用される。
【００３１】
本発明で使用する液滴受け部としては、被検液を一時的に貯留し、指示試薬紙２に順次滲入させるものであればよく、例えば、図３（ａ）に示すような筒状部材４２であってもよい。筒状部材４２は、軸方向が指示試薬紙２に対して略垂直となるように設けられ、被検液は筒状部材４２内に滴下される。通常、滴下された被検液量は、被検液が単位時間当たりに指示試薬紙２に滲み込む量よりも多いので、被検液は、筒状部材４２に一時的に貯留され、指示試薬紙２に順次滲み込んでいく。筒状部材４２の内径は、滴下に支障のない範囲において限定はなく、通常、０．５ｃｍ〜３ｃｍ程度あればよい。また、図３（ｂ）に示すように、液滴受け部４として筒状部材４２内にスポンジなどの多孔質部材４１を充填したものを用いてもよい。
【００３２】
本発明で使用する不織布５としては、フェルトなど従来公知のものを使用できる。不織布５の形状は、指示試薬紙２と同形状とするのが好ましい。不織布５は、容器１と指示試薬紙２との間に介装される。これにより、指示試薬紙２の乾燥による色相変化が抑えられ物性値の検査精度が上がる。
【００３３】
本発明で使用する封止部材としては樹脂フィルム６の他、容器１の開口を封止できるものであれば特に限定はない。例えば、封止部材が容器１に対して着脱自在であれば、封止部材を開けて容器１内に被検液を滴下した後、封止部材によって容器１の開口部を再び封止でき、指示試薬紙２の乾燥による色相変化を抑えられ、指示試薬紙２の呈色を慎重にカラースケール３と比較でき、被検液の物性値を正確に検査できる。なお、この場合の封止部材は、指示試薬紙２の呈色を目視できるように無色透明性であることが必要である。
【００３４】
図４に、本発明に係る検査用具の他の実施形態を示す。この図に示す検査用具Ｄ２では、鍔状部１２が、円盤状の容器１の底面と同一平面上に形成されている。また、封止部材としての無色透明の蓋部材６１が、容器１の開口部１３及び鍔状部１２を含む容器１の上面全体を覆うように着脱自在に容器１に取り付けられる。このような形態によれば、指示試薬紙２とカラースケール３とが同一平面上に位置し、検査用具Ｄ２の上方から目視によって指示試薬紙２の呈色をカラースケール３と比較する際に判定が一層容易になる。また、被検液を多孔質部材４１に滴下後、蓋部材６１を閉めることによって容器１の開口部１３を封止でき、指示試薬紙２の乾燥による色相変化を抑制できる。
【００３５】
本発明の検査用具は、例えば、膣分泌物ｐＨ緩衝能や尿検査、生化学検査、微生物検査、免疫検査、遺伝子検査、環境検査、農薬検査、アレルゲン検査などに用いることができる。
【００３６】
本発明の検査用具Ｄ１を用いた検査手順を、膣分泌物のｐＨ緩衝能の検査の場合を例に説明する。図５に、本発明の検査用具を用いた検査手順を示す。まず、リン酸緩衝液Ｌ（ｐＨ７．４，１０ｍＭ）１０００μｌの入った滴下容器７の蓋７１を開ける（図５（ａ））。次に、膣分泌物を採取した綿棒８１を滴下容器７内のリン酸緩衝液Ｌに浸す（図５（ｂ））。そして、膣分泌物とリン酸緩衝液Ｌとを撹拌棒８２で撹拌して溶液Ｓとする（図５（ｃ））。その後、滴下容器７内の溶液Ｓを本発明の検査用具Ｄ１の多孔質部材４１に所定量（約２ｍＬ）滴下し、指示試験紙としてのｐＨ試験紙２１の呈色をカラースケール３と比較して、滴下した溶液ＳのｐＨを検査する（図５（ｄ））。
【００３７】
なお、本出願人は、妊婦の健康管理装置等に係る発明の出願（特願2011-148754）において、妊婦の膣内分泌物を緩衝液に溶解した溶液のｐＨによって、膣内細菌耐性が高いか低いかを検査できることを発表した。本発明に係る検査用具Ｄ１は、このような妊婦の膣内細菌耐性に関する検査に好適に活用できる。
【産業上の利用可能性】
【００３８】
本発明の被検液物性値の検査用具によれば、被検液で周囲を汚すことなく、衛生的に被検液の物性値を検査できる。また、指示試薬紙の呈色の色ムラを大幅に抑制でき、容易且つ迅速にカラースケールと比較でき、ｐＨ値などの物性値を素早く判定でき有用である。
【符号の説明】
【００３９】
１    容器
２    指示試薬紙
３    カラースケール
４    液滴受け部
５    不織布
６    樹脂フィルム（封止部材）
Ｄ１  検査用具
Ｄ２  検査用具
１１    鍔状部
１２    鍔状部
１３    開口部
２１    ｐＨ試験紙
４１    多孔質部材（液滴受け部）
４２    筒状部材（液滴受け部）
【図１】
2015161656.tif 000003
【図２】
2015161656.tif 000004
【図３】
2015161656.tif 000005
【図４】
2015161656.tif 000006
【図５】
2015161656.tif 000007
【図６】
2015161656.tif 000008